(57)【要約】      （修正有）【課題】電解水を利用することで被介護者の体にやさしく清潔な状態のタオル洗いを実現でき、季節に合わせた快適なタオル洗いを複数の被介護者に対し効率良く適用できる電解水を利用した清拭タオル洗浄専用台車を提供する。【解決手段】底板２および天板５と棚板を有するフレームがキャスター７により走行自在に構成された台車本体と、天板上に併設された２つ以上のタオル洗浄槽２０と、フレームの下部に設けられた排水槽１０と、フレームの上部に設けられ電解水が収容される貯水槽と、貯水槽の側方に設けられ貯水槽から供給される電解水を加熱するヒーターを内蔵した加熱槽１６と、加熱槽からタオル洗浄槽の上方まで延在された給水管２８Ａと、加熱槽内の電解水を給水管を介しタオル洗浄槽に送る送液ポンプと、フレームの上部に設けられてヒーターの温度制御を行う制御装置２１を備える。【選択図】図１
0003208567.tif 000002
【実用新案登録請求の範囲】
【請求項１】
底板および天板と棚板を有するフレームがキャスターにより走行自在に構成された台車本体と、前記天板上に併設された２つ以上のタオル洗浄槽と、前記フレームの下部に設けられた排水槽と、前記フレームの上部に設けられ電解水が収容される貯水槽と、前記貯水槽の側方に設けられ前記貯水槽から供給される電解水を加熱するヒーターを内蔵した加熱槽と、前記加熱槽から前記タオル洗浄槽の上方まで延在された給水管と、前記加熱槽内の電解水を前記給水管を介し前記タオル洗浄槽に送る送液ポンプと、前記フレームの上部に設けられて前記ヒーターの温度制御を行う制御装置を備えたことを特徴とする電解水を利用した清拭タオル洗浄専用台車。
【請求項２】
前記天板上に設置された複数のタオル洗浄槽の周囲を取り囲む周囲壁と、該周囲壁の上部開口側を取り囲むとともに前記タオル洗浄槽の上面側を開放する開口部を有する枠状のカバー壁が上下に起立自在に備えられ、前記カバー壁を起立させた状態において前記タオル洗浄槽が前記周囲壁の内部側から取り出し自在に構成されたことを特徴とする請求項１に記載の電解水を利用した清拭タオル洗浄専用台車。
【請求項３】
前記フレームの側面と背面にカバー部材が取り付けられ、前記側面カバー部材と前記背面カバー部材の少なくとも一方または両方が開閉自在に構成され、前記貯水槽と排水槽が前記開閉自在のカバー部材側に向けて移動自在に前記フレーム内に収容されるとともに、前記カバー部材の開放時に前記貯水槽と排水槽の少なくとも一方が開放側に引出自在に構成されたことを特徴とする請求項１または請求項２に記載の電解水を利用した清拭タオル洗浄専用台車。
【請求項４】
前記制御装置に前記送液ポンプによる前記タオル洗浄槽への給水量を制御する機能と、前記加熱槽内の電解水の温度を制御する機能と、前記貯水槽内の電解水量を検知する機能と、前記タオル洗浄槽内の満水を検知する機能を備えたことを特徴とする請求項１〜請求項３のいずれか一項に記載の電解水を利用した清拭タオル洗浄専用台車。
【請求項５】
前記貯水槽と前記排水槽にフレキシブル排水管が接続され、各フレキシブル排水管に排水栓が設けられたことを特徴とする請求項１〜請求項４のいずれか一項に記載の電解水を利用した清拭タオル洗浄専用台車。
【考案の詳細な説明】
【技術分野】
【０００１】
本考案は、電解水を利用した清拭タオル洗浄専用台車に関する。
【背景技術】
【０００２】
介護における清拭は、被介護者の身体の汚れを取り除き、清潔を保ち、細菌感染を予防すること、悪臭や身体のかゆみなど、皮膚の疾病を予防するなどの重要な役割がある。また、清潔なタオルで体を清拭することで被介護者の皮膚を刺激し、摩擦することで、血行を促進し、床ずれを予防するという効果もある。
【０００３】
これまで介護施設において利用されている清拭タオルの洗浄台車としてキャスター付きのワゴン台車に洗浄槽を備えた清拭台車が知られている。また、この洗浄槽に加熱ヒーターを内蔵し、洗浄槽内の水を加熱して温水を生成し、被介護者の身体をタオルで清拭する場合に温水で温めた温かいタオルを利用することができる清拭車が提供されている。
一方、被介護者の身体を清掃する装置として、清掃部材とこの製造部材に洗浄液を供給する洗浄液供給手段とを備えた人体の清掃装置が提案されている（特許文献１参照）。
更に、被介護者の身体を清掃するウエット布タオルをロール状または折り畳み状に収容して引出自在としたディスペンサを備え、温度調節可能な加熱手段を備えて温めたタオルを清拭に用いることができる清拭用ウエット布タオルのディスペンサが提案されている（特許文献２）。
【先行技術文献】
【特許文献】
【０００４】
【特許文献１】特開２００３−２９９７０９号公報
【特許文献２】特開２００６−２０４５７５号公報
【考案の概要】
【考案が解決しようとする課題】
【０００５】
被介護者の人体の清掃には暖かい清潔なタオルを用いて清拭することが重要であるが、従来提供されている装置は、キャスター付き台車に温度制御可能な水槽を備えた構造が一般的である。
従来構造の装置は、水槽内の温水で加温したタオルを清拭用途に使用することはできるが、水槽がバッチ式で温水の入れ替えが簡単ではなく、清拭に使用したタオルを温水ですすいだ後、汚れた温水を排出して水槽を洗浄し、再使用する際の使い勝手が悪い問題がある。
また、収容した水を温水とするための空だき防止機能付の加熱ヒーターを内蔵した水槽を備えた清拭台車が知られているが、水槽に収容した水を温水とするまでに時間がかかるので、複数の被介護者を連続して清拭する場合に水槽を逐一洗浄した後に水を入れ替え、水を温水とするまでに更に時間が必要であり、使い勝手が悪い問題があった。また、水槽を厳格に洗浄して消毒しておかないと院内感染のおそれが高くなる問題がある。
【０００６】
本考案は前記事情に鑑みなされたものであり、電解水を利用することで被介護者の体にやさしく清潔な状態のタオル洗いを実現でき、季節に合わせた快適なタオル洗いを複数の被介護者に対し効率良く適用できる電解水を利用した清拭タオル洗浄専用台車の提供を目的とする。
【課題を解決するための手段】
【０００７】
上記の目的を達成するために、本考案は以下の構成を採用した。
本考案の清拭タオル洗浄専用台車は、底板および天板と棚板を有するフレームがキャスターにより走行自在に構成された台車本体と、前記天板上に併設された２つ以上のタオル洗浄槽と、前記フレームの下部に設けられた排水槽と、前記フレームの上部に設けられ電解水が収容される貯水槽と、前記貯水槽の側方に設けられ前記貯水槽から供給される電解水を加熱するヒーターを内蔵した加熱槽と、前記加熱槽から前記タオル洗浄槽の上方まで延在された給水管と、前記加熱槽内の電解水を前記給水管を介し前記タオル洗浄槽に送る送液ポンプと、前記フレームの上部に設けられて前記ヒーターの温度制御を行う制御装置を備えたことを特徴とする。
【０００８】
本考案において、前記天板上に設置された複数のタオル洗浄槽の周囲を取り囲む周囲壁と、該周囲壁の上部開口側を取り囲むとともに前記タオル洗浄槽の上面側を開放する開口部を有する枠状のカバー壁が上下に起立自在に備えられ、前記カバー壁を起立させた状態において前記タオル洗浄槽が前記周囲壁の内部側から取り出し自在に構成された構成を採用できる。
カバー壁を起立させてタオル洗浄槽を取り出し自在とすることで、タオル洗浄槽の交換が容易にできるようになり、複数の被介護者のタオルによる清拭を連続して行う場合に被介護者毎にタオル洗浄槽とタオルを交換することで清潔な清拭ができる。このため、院内感染防止に有効となる。
【０００９】
本考案において、前記フレームの側面と背面にカバー部材が取り付けられ、前記側面カバー部材と前記背面カバー部材の少なくとも一方が開閉自在に構成され、前記貯水槽と排水槽が前記開閉自在のカバー部材側に向けて移動自在に前記フレーム内に収容されるとともに、前記カバー部材の開放時に前記貯水槽と排水槽の少なくとも一方または両方が開放側に引出自在に構成されたことを特徴としても良い。
フレームの側面と背面をカバー部材で開閉自在に覆うことで外部から貯水槽や排水槽を隠して清潔な台車として美観を整えることができる。フレームの側面と背面をカバー部材で覆うことで、台車内の貯水槽や加熱槽、送液ポンプなどに細菌や汚れが付着し難く清潔な状態を維持できる。また、カバー部材を開放して貯水槽と排水槽をフレームから引き出し自在にしたので、引き出した貯水槽への給水が容易となり、引き出した排水槽からの排水が容易となり、貯水槽と排水槽のメンテナンス等が容易となる。
【００１０】
本考案において、前記制御装置に前記送液ポンプによる前記タオル洗浄槽への給水量を制御する機能と、前記加熱槽内の電解水の温度を制御する機能と、前記貯水槽内の電解水量を検知する機能と、前記タオル洗浄槽内の満水を検知する機能を備えた構成を採用できる。
以上の構成により、タオル洗浄槽に供給する電解水量を適切に制御することができ、貯水槽内に必要量の電解水を貯留することができ、タオル洗浄槽に電解水を溢れさせることなく適量収容できる。また、タオル洗浄槽に快適な温度の温水を供給することで、清拭に使用するタオルの温度を適切な温度に調整し、被介護者に対し快適な温度のタオルで清拭ができる。
【００１１】
本考案において、前記貯水槽と前記排水槽にフレキシブル排水管が接続され、各フレキシブル排水管に排水栓が接続された構成を採用できる。
使用後に貯水槽と排水槽の排水栓を開放し、使用済みの電解水あるいは残余の電解水をフレキシブル排水管を介し排水設備に排出することができる。フレキシブル排水管により排水設備の排出口への接続も容易にできる。
【考案の効果】
【００１２】
本考案によれば、貯水槽から必要な量の電解水を加熱ヒーターで必要な温度に調整して複数の水槽に供給し、タオルの洗浄に利用することで被介護者の体にやさしく清潔な状態のタオル洗いを実現できる。電解水は、除菌、脱臭、漂白、洗浄効果が高く、大腸菌やブドウ球菌、セレウス菌、サルモネラ菌など、種々の菌に対し効果が高く、ノロウイルス対策の面でも優れているので、電解水を含ませたタオルで被介護者の人体を清拭することで、被介護者の細菌感染防止、食中毒や院内感染などにも有効なタオルによる清拭を実現可能とする。水槽を複数備えることで、例えば被介護者の上半身清拭用タオルと下半身清拭用タオルを水槽別に利用することができ、清潔な清拭が可能となる。
【００１３】
また、貯水槽の電解水を加熱ヒーターで必要な温度に調整し、必要量ポンプで複数の水槽に供給できるので、季節に合わせた快適な温度のタオル洗いを複数の被介護者に対し適用できる清拭タオル洗浄専用台車の提供を目的とする。
水槽内の使用済み電解水を排出し、水槽を洗浄後、直ちに貯水槽から必要量の電解水を水槽に供給できるので、繰り返しの再利用に有利な清拭タオル洗浄専用台車を提供できる。
【図面の簡単な説明】
【００１４】
【図１】本考案の第１実施形態に係る清拭タオル洗浄専用台車を示す斜視図。
【図２】同清拭タオル洗浄専用台車の側面略図。
【図３】同清拭タオル洗浄専用台車の正面略図。
【図４】同清拭タオル洗浄専用台車の貯水槽と排水槽の移動機構の一例を示す側面略図。
【図５】同清拭タオル洗浄専用台車の貯水槽を開放した状態を示す斜視図。
【図６】同清拭タオル洗浄専用台車の貯水槽と排水槽の背面部分を示す斜視図。
【図７】同清拭タオル洗浄専用台車の貯水槽と排水槽を引き出した状態を示す斜視図。
【図８】同清拭タオル洗浄専用台車の貯水槽と排水槽に形成されている排水構造を示す斜視図。
【図９】同清拭タオル洗浄専用台車に設けられている制御装置の表示パネル部分を示す正面図。
【図１０】同清拭タオル洗浄専用台車の水槽に供給される混合電解水の温度変化によるｐＨと残留塩素の推移を示すグラフ。
【考案を実施するための形態】
【００１５】
以下に、本考案に係る第一実施形態の清拭タオル洗浄専用台車について、図面を適宜参照しながら説明する。
図１〜図９は第一実施形態の清拭タオル洗浄専用台車１を示すもので、この清拭タオル専用台車１において、図２、図３に示すように平面視矩形状の底板２と棚板３と天板５が備えられ、これらの各コーナー部分を貫通してこれらを一体化した４本の支柱６によりワゴン型のフレーム４が構成されている。底板２の下面コーナー部分にはそれぞれ移動用のキャスター７が取り付けられ、フレーム４に４基のキャスター７を備えた台車本体Ａは床面などに沿って走行自在に構成されている。また、天板５の一方の短辺側に取手部８が設けられ、この取手部８を人力で手動操作することで清拭タオル専用台車１を床面などに沿って自在に走行移動できる。
なお、以下の説明において必要に応じ取手部８を設けた側を清拭タオル専用台車１の正面側と称し、その反対側を背面側と称し、底板２と棚板３と天板５の長辺側を側面側として説明する。
【００１６】
フレーム４に４基のキャスター７を備えた台車本体Ａに以下の種々の機器を設置することで清拭タオル洗浄専用台車１が構成されている。
底板２の上には図２に示すように排水槽１０と水槽保管部１１、１２が設けられ、棚板３の上には貯水槽１３とポンプ１５と加熱槽１６とタオル収納部１７が設けられている。排水槽１０と貯水槽１３はいずれも清拭タオル専用台車１の背面側よりに設置されている。
天板５の上面において取手部８に近い部分にカバー壁１８に囲まれて左右２つのタオル洗浄槽２０、２０が設置され、これらタオル洗浄槽２０、２０に隣接した位置にボックス型の制御装置２１が設置されている。タオル洗浄槽２０、２０は清拭タオル専用台車１の前面側よりに設置され、制御装置２１は清拭タオル専用台車１の背面側よりに設置されている。
【００１７】
排水槽１０は図３に示すように底板２の短辺側に沿う２本の支柱間隔より若干小さい幅であって図２に示すように底板２の長辺の半分を若干超える長さに形成され、底板２と棚板３の上下間隔より若干低い深さに形成されている。図４に示すように排水槽１０の下面には清拭タオル専用台車１の前後方向（排水槽１０の長さ方向）に延在する２本のレール部材２２が離間して平行に設置され、底板２の上にこれらレール部材２２を案内する滑車部材２３が設置されている。この構造により排水槽１０は滑車２３、２３に沿って移動するレール部材２２とともに清拭タオル専用台車１の前後方向（図２、図４の左右方向）に所定距離移動自在に支持されている。
【００１８】
排水槽１０の下面中央部よりの部分に図４等に示すように排水栓１０ｂと通水路を備えた継手部材１０ａが形成され、この継手部材１０ａの通水路に樹脂製の蛇腹管からなるフレキシブル排水管２４が図６〜図８に示すように接続されている。このフレキシブル排水管２４は継手部材１０ａの部分から排水槽１０の背面側に延在され、排水槽１０の背面壁に取り付けられた樹脂製の複数の結束バンド１９により排水槽１０の背面に沿って逆Ｕ字型に沿わせられている。複数の結束バンド１９によるフレキシブル排水管２４の拘束を解除するとフレキシブル排水管２４を自由な方向に曲げて後述する排水操作時に使用することができる。
【００１９】
図２に示すように底板２の前面側において排水槽１０に隣接する位置に上下に積み重ねる形で箱型の水槽保管部１１、１２が設けられている。一例として下側の水槽保管部１１は使用済みのタオル洗浄槽２０を保管する用途に使用され、上側の水槽保管部１２は洗浄済みの清潔なタオル洗浄槽２０を保管する用途に使用される。使用済みのタオル洗浄槽２０は出し入れ時に汚れた水滴などが落下するおそれがあるので下側の水槽保管部１１に使用済みのタオル洗浄槽２０を収容し、上側の水槽保管部１２に洗浄済みの清潔なタオル洗浄槽２０を収容することが望ましい。勿論、使用済みのタオル洗浄槽２０の収容位置と洗浄済みのタオル洗浄槽２０の収容位置は上下逆転させても構わない。
【００２０】
図４に示すように排水槽１０の上部側には底壁１０Ａと側壁１０Ｂとからなる水槽本体部の上面開口部を開閉するための開閉蓋１０Ｃが上下に回動自在にヒンジ結合されている。この開閉蓋１０Ｃは排水槽１０の上面側の開口部を１／３程度覆う大きさに形成され、排水槽１０の上面側の開口部の残りの部分は天井蓋１０Ｄにより閉じられている。これにより排水槽１０を滑車２３、２３に沿って移動させ、排水槽１０の背面側を１／３程度底板２の後方側にせり出させた場合、開閉蓋１０Ｃを上方に回動させて排水槽１０の開口部を開放できる。排水槽１０の開口部を開放することで、排水槽１０に電解水を供給する作業を容易に実施できるとともに、排水槽１０内の清掃やメンテナンスも容易に行うことができる。
また、図２に示すように排水槽１０の内上部にフロート付きの水位センサー１０ｂが設置され、排水槽１０内の使用済み電解水の水位をフロートの上下移動により把握することができるようになっている。
【００２１】
排水槽１０の背面上部側に開閉蓋１０Ｃを係止するためのフック型の係止具１０ｆが取り付けられ、背面下部側に排水槽１０の前後移動を係止するための落とし錠１０ｇが取り付けられている。この落とし錠１０ｇは図４に示すように摘み棒付のロッド１０ｈを上下自在に支持する筒部１０ｉを備えた取付片１０ｊを有し、ロッド１０ｈの先端を下向きになるように排水槽１０の背面下部に取り付けられている。また、図４に示すように排水槽１０の背面を底板２の背面側に沿わせた状態で落とし錠１０ｇの下方の棚板背面にロッド１０ｈを挿通するための筒型の受け部１０ｋが取り付けられている。排水槽１０は図４に示す位置においてロッド１０ｈを受け部１０ｋに挿通して落とし錠１０ｇをロックすることで位置規制されている。
【００２２】
貯水槽１３は図３に示すように棚板３の短辺側に沿う２本の支柱間隔より若干小さい幅であって図２に示す棚板３の長辺の半分程度の長さに形成され、棚板３と天板５の上下間隔より若干低い深さに形成されている。図４に示すように貯水槽１３の下面側には清拭タオル専用台車１の前後方向に延在する２本のレール部材２５が互いに平行に設置され、棚板３の上にこれらレール部材２５を案内する滑車部材２６、２６が形成されている。この構造により貯水槽１３は滑車２６、２６に沿って移動するレール部材２５とともに清拭タオル専用台車１の前後方向にレール部材２５の長さに応じて所定距離移動自在に支持されている。
【００２３】
貯水槽１３の上部には底壁１３Ａと側壁１０Ｂとからなる水槽本体部の上面開口部を開閉するための開閉蓋１３Ｃが上下に回動自在にヒンジ結合されている。この開閉蓋１３Ｃは貯水槽１３の上面側の開口部を半分程度覆う大きさに形成され、貯水槽１３の上面側の開口部の残りの部分は天井蓋１３Ｄにより閉じられている。これにより貯水槽１３を滑車２６、２６に沿って移動させ、貯水槽１３の背面側を半分程棚板３の後方側にせり出させた場合、開閉蓋１３Ｃを上方に回動させて貯水槽１３の上面開口部を開放することで、貯水槽１３内の清掃やメンテナンス、貯水槽１３に対する電解水の供給などを容易に行うことができる。
【００２４】
図２に示すように貯水槽１３の内部にそれぞれフロート付きの水位センサー１３ｄ、１３ｅが設置され、貯水槽１３内の電解水の水位を把握することができるようになっている。水位センサー１３ｄは検出用のフロートを貯水槽１３の内上部側に位置させ、水位センサー１３ｅは検出用のフロートを貯水槽１３の内底部側に位置させて設置され、水位センサー１３ｄが貯水槽１３の最大水位を検出し、水位センサー１３ｅが貯水槽１３の最小水位を検出する。例えば、水位センサー１３ｄにより貯水槽１３の満水状態を把握することができ、水位センサー１３ｅにより貯水槽１３の水が残り少ないことを把握することができる。
【００２５】
貯水槽１３には好ましくは水を電気分解して製造された混合電解水が収容される。食塩を０.２％程度添加した食塩水を電気分解すると強アルカリ性電解水と強酸性電解水を得ることができる。
強アルカリ性電解水は野菜の洗浄等にも広く使用され、食品添加物としても公認されている安全な電解水であり、洗浄効果が高い。
強酸性電解水は次亜塩素酸を含み、高い除菌効果を奏し、強酸性電解水に微量含まれるオゾンによる脱臭効果を奏し、強酸性電解水に含まれる塩素系成分により黄ばみ、黒ずみなどの汚れ色素分解効果を奏する。強酸性電解水は次亜塩素酸ナトリウムと比べて有効塩素濃度が低いにもかかわらず、大腸菌やＯ１５７、サルモネラ菌、ＭＲＳＡ、腸球菌あるいはノロウイルスなどに次亜塩素酸ナトリウムと同等以上の殺菌力を有する。なお、一般細菌の他にＭＲＳＡ、感受性菌、耐性菌、真菌、芽胞、ＨＩＶの全てに有効な消毒剤は現在グルタラールしかないが、グルタラールは皮膚、粘膜を損傷させる。これに対し、酸性電解水はグルタラールと同等の範囲に有効であり、しかも皮膚や粘膜を痛めることがないため、有効な消毒剤として利用できる。
これら強アルカリ性電解水と強酸性電解水を１：１の割合などで混合した混合電解水は、これらの効果を兼ね備える上に、人体に使用しても問題のないｐＨ１０程度の混合電解水となるので本実施形態の清拭タオル洗浄専用台車１に使用できる。
【００２６】
貯水槽１３の底部に加熱槽１６の吸入部が接続され、加熱槽１６の排出部が送液ポンプ１５の吸入部に接続され、送液ポンプ１５の送液部に給水管２８が接続され、この給水管２８は天板５の一部を貫通してタオル洗浄槽２０、２０の背面側境界部上に延出されている。給水管２８の先端側にはフレキシブル配管２８Ａが組み込まれ、このフレキシブル配管２８Ａの位置を調節することにより貯水槽１３からの電解水をタオル洗浄槽２０、２０に必要量供給することができる。
加熱槽１６は、貯水槽１３の容量に対し小さい容量とされ、例えばタオル洗浄槽２０、２０に対し１回分の混合電解水を加温した上で供給出来る程度の容量でよい。例えば、貯水槽１３の容量２０Ｌ、タオル洗浄槽２０の容量２Ｌに対し加熱槽１６の容量５Ｌ程度に設定することができる。
【００２７】
貯水槽１３の下面中央部よりの部分に図４等に示すように排水栓１３ｂと通水路付の継手部材１３ａが形成され、この継手部材１３ａに樹脂製の蛇腹管からなるフレキシブル排水管３０が接続されている。このフレキシブル排水管３０は継手部材１３ａの部分から貯水槽１３の背面側に延在され、貯水槽１３の背面壁に取り付けられた樹脂製の複数の結束バンド１９により貯水槽１３の背面に沿って図６に示すように逆Ｕ字型に沿わせられている。排水作業時、複数の結束バンド１９によるフレキシブル排水管３０の拘束を解除するとフレキシブル排水管３０を自由な方向に曲げて後述する排水操作時に使用できる。
【００２８】
図６〜図８に示すように貯水槽１３の背面上部側に開閉蓋１３Ｃを係止するためのフック型の係止具１３ｆが取り付けられ、背面下部側に貯水槽１３の前後移動を係止するための落とし錠１３ｇが取り付けられている。この落とし錠１３ｇは図４に示すように摘み棒付のロッド１３ｈを上下自在に支持する筒部１３ｉを備えた取付片１３ｊを有し、ロッド１３ｈの先端を下向きになるように貯水槽１３の背面下部に取り付けられている。また、貯水槽１３の背面を棚板３の背面側に沿わせた状態で落とし錠１３ｇの下方の棚板背面にロッド１３ｈを挿通するための筒型の受け部１３ｋが取り付けられている。貯水槽１３は図４に示す位置においてロッド１３ｈを受け部１３ｋに挿通することで位置が規制されている。
貯水槽１３の後部上面近くの部分に開閉蓋１３Ｃの開放角度を所定の角度で支持するためのロッド状のフラップステー１３ｎが設けられている。このフラップステー１３ｎは偏平型の金属パイプの内部に偏平型の金属ロッドを挿入して長さ方向に伸縮自在に構成されたもので、金属パイプの一端が貯水槽１３の側面上部に接続され、金属ロッドの他端が開閉蓋１３Ｃの側部に接続されている。このフラップステー１３ｎは、開閉蓋１３の傾斜角度に応じて自身の長さと傾斜角度を変更しながら、開閉蓋１３Ｃを支持してその開放角度を維持する機能を有する。
【００２９】
天板５の上に設置されているタオル洗浄槽２０は金属板からなる底浅型の平面視矩形状の水槽であり、タオル洗浄槽２０は同じ形状のものが取手部８に隣接して左右に設置されている。タオル洗浄槽２０、２０の設置位置の下方であって天板５の上にはタオル洗浄槽２０、２０を受ける凹部を有する台座３１が設けられ、この台座３１の周囲壁３１Ａ上部を囲むようにカバー壁１８が上下に起立自在に設けられている。図５に示すように周囲壁３１Ａにおいて取手部８側の面には周囲壁３１Ａの一部を低く形成した引出部３１Ｂが形成され、カバー壁１８を図５に示すように起立させて引出部３１Ｂを開放することでタオル洗浄槽２０、２０を取手部８側（手前側）に引き出して台座３１から取り外すことができる。
【００３０】
カバー壁１８は前面板１８Ａと側面板１８Ｂ、１８Ｂとこれらを連結した天板１８Ｃとからなる矩形カバー型に形成され、前面板１８Ａと側面板１８Ｂ、１８Ｂとにより台座３１の周囲壁３１Ａを取り囲むことができる大きさに形成されている。カバー壁１８は側面板１８Ｂ、１８Ｂの後端上部側を台座３１の周囲壁３１Ａの一部にビスなどの金具により結合して起立自在に設置されている。
この構造によりでカバー壁１８を図１に示すように水平に倒した状態でカバー壁１８により台座３１の周囲を取り囲むことができ、カバー壁１８を図５に示すように起立させた状態で台座３１の前面側を開放し、引出部３１Ｂを介しタオル洗浄槽２０、２０を台座３１から手前側に引き出すことができるように構成されている。
【００３１】
カバー壁１８の天板１８Ｃにはタオル洗浄槽２０、２０の上面側を開放するための窓部１８ｄ、１８ｄが形成され、窓部１８ｄ、１８ｄ間に仕切片１８ｅが形成されている。カバー壁１８の側面板１８Ｂとその下方の台座３１の側面との間にステー金具３３が接続され、このステー金具３３によりカバー壁１８の上下回動動作が案内される。
台座３１の前面側において取手部８に対向する部分にフックパチン錠３１ａが取り付けられ、このフックパチン錠３１ａのリング部３１ｂをカバー壁１８の前面側のフック片１８ａに係止することで台座３１にカバー壁１８を固定し、天板１８Ｃでタオル洗浄槽２０、２０の周囲を覆うことができるようになっている。
【００３２】
台座３１においてタオル洗浄槽２０が収容される凹部の底部側にはタオル洗浄槽２０に形成されている排水孔２０ａに接続される排水部が形成され、タオル洗浄槽２０を台座３１の凹部に設置するとタオル洗浄槽２０の排水孔と台座３１の排水部が位置合わせされて相互接続されるようになっている。また、台座３１の内部にはこれら排水部に接続された図示略の排水路が形成され、この排水路が台座３１のコーナー部側まで延在され、この排水路に天板５を貫通して排水路に接続された排水管３５（図５参照）が接続され、この配水管３５が排水槽１０に接続されている。タオル洗浄槽２０の排水孔には挿脱自在に図示略のゴム栓（排水栓）が設けられていて、このゴム栓を開けて排水孔を開放することによりタオル洗浄槽２０から排水槽１０に使用済み電解水を排出できる。
【００３３】
また、カバー壁１８の天板１８Ｃの一部に水位センサー３６、３６が取り付けられている。これらの水位センサー３６は天板１８Ｃの窓部１８ｄに隣接して設けられ、カバー壁１８で台座３１の周囲を取り囲んだ場合、水位センサー３６の水位検出用のフロートをタオル洗浄槽２０の内側に配置することができるように設置されている。これらの水位センサー３６、３６によりタオル洗浄槽２０に供給される電解水の水位を検出することができる。
【００３４】
制御装置２１は、上部に操作盤２１Ａを有し、この操作盤２１Ａに図９に示すように種々のスイッチとボタンが設けられている。操作盤２１Ａに、主電源入切用のスイッチ４０と、主電源入切表示のためのパイロットランプ４１と、加熱槽１６に内蔵されている電気ヒーターの通電制御を行うためのヒーター切替スイッチ４２および温度設定器４３と、注水ボタン４５と、注水時間を表示する表示器４６と、貯水槽に水の無いこと、あるいは満水異常を知らせる警告ランプ４７と、注水を非常停止するための停止ボタン４８が設けられている。
制御装置２１のヒーター切替スイッチ４２と温度設定器４３は加熱槽１６に内蔵されている加熱ヒーターに接続され、温度設定器４３で設定した温度に加熱槽内の電解水を加温し電解水の温度を調整できる。ヒーター切替スイッチ４２はスイッチ操作により加熱槽内の加熱ヒーターを入り切りすることができる。
【００３５】
注水ボタン４５は送液ポンプ１５の作動開始を行うボタンであり、このボタン４５の操作により送液ポンプ１５を作動させてタオル洗浄槽２０に対し必要量の電解水を貯水槽１３から供給できる。
停止ボタン４８はタオル洗浄槽２０の内部に電解水が規定量以上に供給された場合に送液ポンプ１５からの給水を停止するためのスイッチである。タオル洗浄槽２０内の電解水量は水位センサー３６、３６が検出しているので、水位が規定量以上になった場合に水位センサー３６からの異常信号に応じ警告ランプ４７が表示される。この表示に従い、停止ボタン４８の操作により送液ポンプ１５を停止させ、タオル洗浄槽２０に対する給水を停止できる。
【００３６】
なお、この実施形態の清拭タオル洗浄専用台車１において、両側面に側面カバー部材５０が設けられ、これら側面カバー部材５０、５０の背面側に図７に示す背面カバー部材５１が設けられている。側面カバー部材５０、５０の上縁部と下縁部にはそれぞれボルト型のフック部材５４が貫通され、これらのフック部材５４を底板２あるいは天板５の側面に形成されたネジ穴に螺合することで側面カバー部材５０、５０が底板２と天板５の側面を覆い隠す位置に位置決め固定される。
【００３７】
図７の右奥側に示す側面カバー部材５０の背面側に図７では排水槽１０と貯水槽１３により隠されているが抜差型のヒンジ部材が上下に離間して取り付けられ、これらのヒンジ部材に着脱するためのヒンジ部材５１ａ、５１ａが背面カバー部材５１の右側部に取り付けられている。
これらのヒンジ部材どうしを連結することで背面カバー部材５１は図７の右奥側の側面カバー部材５０に対し回動自在に連結される。図７に示す背面カバー部材５１の左上側部にはフック部材５１ｂが設けられるとともに、図７の手前側に示す側面カバー部材５０の背面側にフック部材５１ｂに係止するための旋回型のレバーを備えた係止部材５２が設けられている。この係止部材５２は、背面カバー部材５１を側面カバー部材５０の背後側にヒンジ結合して背面カバー部材５１で清拭タオル洗浄専用台車１の背面開口部を閉じた場合、フック部材５１ｂに係合して背面カバー部材５１の開放を阻止するために設けられている。
【００３８】
背面カバー部材５１はこのように清拭タオル洗浄専用台車１の背面側に開閉自在に設けられて清拭タオル洗浄専用台車１の背面を覆うとともに、ヒンジ結合部分を外すことで図７に示すように清拭タオル洗浄専用台車１から分離して取り外すことができる。
背面カバー部材５１のヒンジ結合部分を連結したまま背面カバー部材５１を開放して清拭タオル洗浄専用台車１の背面側を開放するか、背面カバー部材５１を上述の如く取り外すことで図７に示すように排水槽１０と貯水槽１３を後方に引き出すことができ、貯水槽１３への給水、排水槽１０に対する清掃やメンテナンスなどを行うことができる状態となる。
【００３９】
以上説明のように構成された清拭タオル専用台車１は図１に示すように台座３１の上にタオル洗浄槽２０、２０を設置し、フックパチン錠３１ａ、３１ａでカバー壁１８を閉じてタオル洗浄槽２０、２０をカバー壁１８で囲んだ状態で使用する。また、側面カバー部材５０、５０と背面カバー部材５１により清拭タオル専用台車１の両側面と背面を覆った状態としておき、タオル洗浄槽２の排水口をゴム栓で閉じておく。
ここで制御装置２１の電源スイッチ４０を入れ、電源ランプ４１の点灯を確認する。また、貯水槽１３の内部には電解水が収容されていないので、警告ランプ４７が黄色に点灯することを確認する。警告ランプ４７が黄色に点灯することは貯水槽１３に水がないことを意味する。
【００４０】
貯水槽１３をスライド移動するためには、背面カバー部材５１を回動させて清拭タオル洗浄専用台車１の背面を開放するか、背面カバー部材５１を取り外して背面側を開放した後、落とし錠１３ｇのロッドを受け部１３ｋの上方にスライドさせて落とし錠１３ｇによるロックを開放することで貯水槽１３をスライド移動可能とする。貯水槽１３を奥行き半分ほど後方側に引き出して開閉蓋１０Ｃを上方に起立させ、フラップステー１３ｎにより開閉蓋１０Ｃを係止すると貯水槽１３の上面側開口部を図７に示すように開放できる。
次に、貯水槽１３に必要量の混合電解水をバケツ等の器具で投入する。貯水槽１３に混合電解水を収容するには図７に示すように貯水槽１３を清拭タオル専用台車１の背面側にスライド移動させてから開閉蓋１３Ｃを起立させ、貯水槽１３の上面側を開放することにより容易に供給出来る状態となる。貯水槽１３にはバケツ等の注入器具を用いて必要量の混合電解水を注入することが好ましい。
【００４１】
貯水槽１３に必要量の混合電解水を貯留し、開閉蓋１３Ｃを閉じたならば、貯水槽１３を清拭タオル専用台車１の内部側に押し込んで収容し、落とし錠１０ｇで排水槽１３を係止し、背面カバー部材５１を閉じて清拭タオル専用台車１を移動可能な状態とする。なお、背面カバー部材５１を閉じる前に排水槽１０も清拭タオル専用台車１の内部側に押し込んで落とし錠１０ｇにより係止しておく。また、貯水槽１３の配水管３０と排水槽１０の配水管２４はいずれも図６に示すように結束バンド１９によりそれぞれの背面側に収容しておき、各配水管２４、３０の根本側の排水用コックは閉じておく。
【００４２】
制御装置２１のヒーター切替スイッチ４２を操作して温度設定器４３の表示を確認し、温度設定器４３で指定の温度を選択すると加熱槽１６のヒーターに通電がなされて貯水槽１３から加熱槽１６側に移動された混合電解水が目的の温度に加温されるように制御装置２１はヒーターを制御する。
この後、清拭タオル専用台車１の取手部８を手動操作して清拭タオル専用台車１を目的の被介護者あるいは患者の傍に移動する。
【００４３】
上述のように温度設定器４３で定めた温度に加熱槽１６内の混合電解水が加温されている。なお、加熱槽１６の混合電解水を加温する工程は清拭タオル専用台車１を目的の被介護者あるいは患者の傍に移動する前に行っても良いし、移動後に行っても良い。
注水ボタン４５を押して加温混合電解水をフレキシブル配管２８Ａからタオル洗浄槽２０、２０に所定量ずつ供給する。制御装置２１はタオル洗浄槽２０の容量に合わせて適量の混合電解水を供給する機能を有する。また、給水時間を表示する表示器４６を備えているのでタオル洗浄槽２０に対する給水時間を把握できる。
【００４４】
カバー壁１８を水平状態として台座３１の周囲壁３１Ａを覆っておくと、カバー壁１８の天板１８Ｃに取り付けられている水位センサー３６がタオル洗浄槽２０、２０の内部の所定位置に挿入されているので、この水位センサー３６によりタオル洗浄槽２０、２０に供給した電解水の量を把握することができ、水位センサー３６の情報により注水完了を制御装置２１が把握したならば注水は自動停止される。勿論、注水ボタン４５の操作によりタオル洗浄槽２０に給水する混合電解水量を再調整しても良い。
【００４５】
１名の被介護者あるいは患者に対し、一方のタオル洗浄槽２０に収容されている加温混合電解水を用いて洗浄済みの清潔なタオルをすすぎ、絞った濡れタオルを用いて上半身を清拭したならば、他方のタオル洗浄槽２０に収容されている加温混合電解水を用いて別の洗浄済みの清潔なタオルをすすぎ、絞った濡れタオルを用いて下半身を清拭することができる。
このように清拭タオル専用台車１を使用することで１名の被介護者あるいは患者に対し、上半身の清拭と下半身の清拭を別々のタオルを用いて清拭できるので、体に優しい清潔で消臭効果の高い体拭きを実現できる。また、この例で用いる混合電解水は各種細菌やノロウイルスに対しても殺菌効果が高く、消臭効果、洗浄効果、漂白効果のいずれにおいても優れた効果を奏するので、薬品を用いることなく体に優しく、効果の高い体拭きを実現することができる。
また、加熱槽１６で加温した温水混合電解水を用いるので、清拭タオル専用台車１は冬場でも温かい体拭きを実現でき、被介護者あるいは患者の体を冷やすことがない。
【００４６】
１名の被介護者あるいは患者の清拭が終了したならば、タオル洗浄槽２０、２０の排水口を閉じているゴム栓を開けてタオル洗浄槽２０に収容されている使用済みの混合電解水を排水槽１０に排出する。続いてフックパチン錠３１ａ、３１ａを開放し、カバー壁１８を上方に回動させて図５に示すように台座３１の引出部３１Ｂを開放し、汚れたタオル洗浄槽２０、２０を台座３１から取り外し、水槽保管部１１に収容する。
水槽保管部１２に収容されている消毒済みの清潔なタオル洗浄槽２０、２０を取り出し、台座３１の上に設置し、台座３１の周囲にカバー壁１８を倒して台座３１の周囲をカバー壁１８で取り囲み、フックパチン錠３１ａ、３１ａを閉じることで、消毒済みの清潔な新しいタオル洗浄槽２０、２０を台座３１上に再固定することができる。
【００４７】
この後、注水ボタン４５を押して加熱槽１６で温められている加温混合電解水を新しいタオル洗浄槽２０、２０に所定量給水できる。タオル収納部１７から洗浄済みの新しい清潔なタオルを取り出し、他の１名の被介護者あるいは患者の上半身と下半身のタオルを用いた清拭に使用することができる。
以上の操作を繰り返し行い、１名の被介護者あるいは患者の清拭の度に、洗浄済みの新しいタオル洗浄槽２０、２０と混合電解水と洗浄済みの新しいタオルを用いて上半身と下半身に分けて清拭することで、細菌の相互感染やノロウイルス感染などを引き起こすことのない体拭きを実現できる。
【００４８】
この実施形態の清拭タオル専用台車１を用いるならば、水槽保管部１２に収容しているタオル洗浄槽２０の数に対応して繰り返し使用することができ、また、貯水槽１３に収容している混合電解水を使い切るまで繰り返し被介護者あるいは患者の体拭きに使用することができる。
【００４９】
以上の構成の清拭タオル専用台車１は、その両側面と背面を側面カバー部材５０と背面カバー部材５１で覆っているので、外部から貯水槽１３や排水槽１０を隠して清潔な台車本体として美観を整えることができる。また、清拭タオル専用台車１の両側面と背面をカバー部材５０、５２で覆うことで、タオルによる清拭中に水滴などが周囲に飛散したとしても、台車本体内の貯水槽１０、送液ポンプ１５、加熱槽１６などの周囲に細菌や汚れが付着し難く清潔な状態を維持できる。
【００５０】
清拭タオル専用台車１は、カバー壁１８を起立させてタオル洗浄槽を取り出し自在とすることで、洗浄槽の交換が容易にできるようになり、複数の被介護者のタオルによる清拭を連続して行う場合に被介護者毎に水槽とタオルを交換することで清潔な清拭ができる。このため、院内感染防止に有効となる。
【００５１】
以上の説明の清拭タオル専用台車１は、タオル洗浄槽２０、２０に供給する電解水量を適切に制御することができ、貯水槽１３内に必要量の電解水を貯留することができ、タオル洗浄槽２０、２０に電解水を溢れさせることなく適量収容できる。また、タオル洗浄槽２０、２０に快適な温度の温水を供給することで、清拭に使用するタオルの温度を適切な温度に調整し、被介護者に対し快適な温度のタオルで清拭ができる。
【００５２】
清拭タオル専用台車１の貯水槽１０に収容されている混合電解水を相当量あるいは全量に近い量使用し、排水槽１０に排出された使用済みの混合電解水の量が満水状態に達すると水位センサー１０ｂが満水を検知する。この状態で清拭タオル専用台車１の電解水の交換を行う。
清拭タオル専用台車１を走行させて排水設備の防水パンなど、排水口の近くに清拭タオル専用台車１を移動させたならば、背面カバー部材５１を開放して落とし錠１０ｇ、１３ｇのロックを解除すると、排水槽１０と貯水槽１３を清拭タオル専用台車１の後方側に引出自在となる。
【００５３】
図７、図８に示すように排水槽１０と貯水槽１３を引き出し、複数の結束バンド１９によるフレキシブル排水管２４、３０の係止を解除するとフレキシブル配管２４、３０が自由になるので、排水設備の排水口にフレキシブル配管２４、３０を接続する。
この状態で排水槽１０の継手部材１０ａの排水栓１０ｂと貯水槽１３の継手部材１３ａの排水栓１３ｂを開放すると、排水槽１０に収容されている使用済みの電解水を配水管２４により排出でき、貯水槽１３に収容されている混合電解水を配水管３０を介し排出することができる。排水槽１０と貯水槽１３を必要に応じて洗浄し、再度貯水槽１３に綺麗な未使用の混合電解水を必要量供給し、排水槽１０と貯水槽１３を清拭タオル専用台車１の内側に押し込んでこれらを落とし錠１０ｇ、１３ｇによりロックする。最後に清拭タオル専用台車１の背面カバー部材５１を装着することで清拭タオル専用台車１を再度利用できるようになる。
このように清拭タオル専用台車１を繰り返しタオルの清拭に使用することができ、清潔で使い勝手の良い清拭作業ができる。
【実施例】
【００５４】
横幅４３６ｍｍ、長さ６００ｍｍのステンレス鋼板製の底板、棚板、天板を用い、底板下面に設けたキャスターを含めた高さ８００ｍｍの清拭タオル専用台車を試作した。底板と棚板と天板を接続する支柱はステンレス鋼製のパイプを用いた。
貯水槽容量約２８Ｌ（３５０×２３５×３４０）、排水槽容量約２９Ｌ（３５０×１８５×４５０）の各槽を用い、加熱槽容量約５Ｌとして清拭タオル専用台車を製造した。タオル洗浄槽は約２Ｌ（２０３×２９８×８３）のステンレス鋼製の矩形水槽を用いた。
貯水槽に強酸性電解水（ｐＨ３.０７：ＡＣＣ５０ｐｐｍ）と強アルカリ性電解水（ｐＨ１１.４２）を１：１の割合で混合した混合電解水（ｐＨ１０.７３：ＡＣＣ２３ｐｐｍ）を給水した。
【００５５】
図１０に本実施例で用いた混合電解水の温度変化に伴うｐＨ変化とＡＣＣ（残留塩素）の推移を示す。残留塩素は、除菌、消臭効果の元として知られる成分である。
図１０の横軸に示す１は２２.４℃、２は３０℃、３は３５℃、４は４０℃、５は４５℃、６は５０℃を意味する。一般的にＡＣＣ（残留塩素）の濃度が２０〜２１ｐｐｍあればノロウイルスと多用な細菌に有効であることが知られている。
この例で用いた混合電解水は、４０〜６０゜の範囲でＡＣＣの濃度が２０〜２１ｐｐｍの範囲を超えているので、この混合電解水を４０〜６０℃に加温して使用することで、十分な除菌効果を得ることができる。なお、通常の水でセレウス菌を殺すには水温を７０℃以上の熱水としなくてはならないが、混合電解水であるならば４０〜６０℃で十分な殺菌力があることがわかる。７０℃の熱水を用いてタオルの清拭を行うと皮膚に火傷を生じるおそれがあるので、７０℃の熱水を被介護者の清拭に使用することはできない。
また、体の拭き取りについてアルコール消毒や石けんで洗浄するなどの手段も知られているが、これらの手段ではノロウイルス、ＭＲＳＡ等の対策としては不充分であるが、上述の混合電解水であるならば、優れた除菌効果、院内感染の予防効果を期待することができる。
【符号の説明】
【００５６】
１…清拭タオル洗浄専用台車、Ａ…台車本体、２…底板、３…棚板、４…フレーム、５…天板、６…支柱、７…キャスター、１０…排水槽、１０ｂ…排水栓、１３…貯水槽、１３ｂ…排水栓、１５…送液ポンプ、１６…加熱槽、１７…タオル収納部、１８…カバー壁、２０…タオル洗浄槽、２１…制御装置、２２…レール部材、２３…滑車部材、２４…フレキシブル排水管、２５…レール部材、２６…滑車部材、２８…給水管、３０…フレキシブル排水管、３１…台座、３１Ａ…周囲壁、３６…水位センサー、４０…電源スイッチ、４１…電源ランプ、４２…ヒーター切替スイッチ、４３…温度設定器、４５…注水ボタン、４７…警告ランプ、４８…停止ボタン、５０…側面カバー部材、５１…背面カバー部材。
【図１】
0003208567.tif 000003
【図２】
0003208567.tif 000004
【図３】
0003208567.tif 000005
【図４】
0003208567.tif 000006
【図５】
0003208567.tif 000007
【図６】
0003208567.tif 000008
【図７】
0003208567.tif 000009
【図８】
0003208567.tif 000010
【図９】
0003208567.tif 000011
【図１０】
0003208567.tif 000012